(57)【要約】【課題】カッタ付きのテープディスペンサにおいて、テープ切断時に、ロール上の粘着テープの残量に関わらず、粘着テープを汚損することなくロールの回転を容易かつ確実に強制停止できるようにする。【解決手段】テープディスペンサ１０は、粘着テープＴのロールＲを少なくとも部分的に収容するケース１２と、ケース１２に設けられ、ロールＲから繰り出された粘着テープＴを切断するカッタ１４とを備える。テープディスペンサ１０はさらに、ケース１２に設けられ、粘着テープＴのロールＲの円筒状の内周面Ｒａに対向する内周部１６と、内周部１６に設けられ、外力の下で変位してロールＲの内周面Ｒａに接触することにより、ケース１２に対するロールＲの回転を抑止する当接部１８とを備える。当接部１８は、内周部１６の一部分として、ケース１２上で片持ち梁式に弾性変形可能に支持される。【選択図】図４
2009155079.tif 000002
【特許請求の範囲】
【請求項１】
粘着テープのロールを少なくとも部分的に収容するケースと、該ケースに設けられ、ロールから繰り出された粘着テープを切断するカッタとを具備するテープディスペンサにおいて、
前記ケースに設けられ、粘着テープのロールの内周面に対向する内周部と、
前記内周部に設けられ、外力の下で変位してロールの内周面に接触することにより、前記ケースに対するロールの回転を抑止する当接部と、
を具備することを特徴とするテープディスペンサ。
【請求項２】
前記ケースは、操作者により握持されるグリップ部を備え、前記当接部が該グリップ部に設けられる、請求項１に記載のテープディスペンサ。
【請求項３】
前記内周部の一部分が前記ケース上で片持ち梁式に弾性変形可能に支持され、前記当接部が該一部分に設けられる、請求項１又は２に記載のテープディスペンサ。
【請求項４】
前記ケースは、前記内周部に連結され、粘着テープのロールの少なくとも周方向一部分を受容する筒状空洞を前記内周部と協働して画定する外周部と、該外周部から外方へ突設され、末端に前記カッタが固定的に設けられるカッタ支持部とを備え、前記当接部が、該カッタ支持部に隣接する該外周部の一領域に対向する位置で前記内周部に設けられる、請求項１〜３のいずれか１項に記載のテープディスペンサ。
【請求項５】
前記ケースの前記内周部と前記外周部とが、粘着テープのロールの全体を受容する環状空洞を画定する、請求項４に記載のテープディスペンサ。
【発明の詳細な説明】
【技術分野】
【０００１】
本発明は、テープディスペンサに関する。
【背景技術】
【０００２】
粘着テープのロールを少なくとも部分的に収容するケースと、ケースに設けられ、ロールから繰り出された粘着テープを切断するカッタとを備えたテープディスペンサは、種々の形態のものが知られている。例えば特許文献１は、片面に剥離紙を被着した両面粘着テ−プを、剥離紙を表側（上面）に向けた状態で巻芯に巻回してなる巻テ−プのための、切刃付きの容器を開示する。この容器は、一端に切刃が固定される底板と、底板の両側にそれぞれ折線を介して連結され、互いに平行に配置される一対の面板と、両面板の略中央にそれぞれ弧状の切線及び各切線の両端を結ぶ直線状の折線によって形成される一対の折込片と、切刃とは反対側の底板の他端に折線を介して連結される舌片と、舌片に隣接して、両面板の一側縁に折線を介して連結される一対の側板とを備える。一対の折込片は、両面板の間で底板上に置かれた巻テープの中空部に折り込まれて、巻テープを回転可能に支持する。舌片及び一対の側板は、互いに折り重ねられ、底板、面板及び折込片と協働して、巻テープの一部分を包囲する。
【０００３】
また、特許文献２は、片面粘着テープをロール状に巻回してなるテープロールから、所定長さのテープを引き出して切断するための、ハンドカッターを開示する。このハンドカッターは、テープロールを回転可能に支持する円弧状のハブ部をそれぞれに有する一対の保持片と、ハブ部から離れる方向へ延びる両保持片の側壁片の上部に連結され、前端に切断刃が装着されるテープ案内部と、テープ案内部の後端からハブ部の上方に延長されるテープ押え片とを備える。両保持片のハブ部は、互いに脱離可能に組み付けられて、テープロールの円筒状コアの内周面を支持する。テープ押え片は、テープロールの外周近傍に位置するべく円弧状に形成され、テープロールに対する接離方向へ弾性変形可能となっている。テープロールからテープを引き出した状態で、テープ押え片をテープロールに向かって押圧することにより、テープ押え片の下面に設けた凸部がテープロールの外周面に当接係合してテープロールの回転を停止できる。そして、テープ押え片でテープロールの回転を停止した状態で、引き出されたテープを切断刃によって切断できる。
【０００４】
【特許文献１】特開平９−４８５５３号公報
【特許文献２】特開２００３−１４５４８０号公報
【発明の開示】
【発明が解決しようとする課題】
【０００５】
従来のカッタ付きテープディスペンサにおいては、ロールから繰り出した粘着テープをカッタで切断するときに、ロールの回転を強制的に停止することが要求される場合がある。例えば、粘着テープの粘着面がカッタの刃に対向する使用形態では、テープ切断時に粘着面の粘着力により粘着テープがカッタ刃に付着した状態を維持できるので、ロールの回転を意図的に停止せずとも、粘着テープを容易に切断することができる。その反対に、粘着テープの非粘着面（例えば片面粘着テープの基材表面又は両面粘着テープの剥離紙表面）がカッタ刃に対向する使用形態では、テープ切断時に粘着テープに加わる引張力により非粘着面がカッタ刃上で摺動して、粘着テープを正確に切断できない状況が生じ得る。
【０００６】
前述した特許文献１に開示される切刃付き容器は、一対の折込片の外側で、両面板の間に置かれた巻テープの内周面及び外周面に容易に触れることができるので、テープ切断時には、巻テープを直接に指先で押えることでその回転を強制停止することができる。しかしこの構成では、巻テープの内外周面を汚損することが懸念される。他方、前述した特許文献２に開示されるハンドカッターは、テープ押え片をテープロールの外周面に押し付けることにより、テープ切断時にテープロールの回転を強制停止できるから、テープ汚損の問題は回避できる。しかし、テープ押え片は一対の保持片に対して片持ち梁状の構造を有するので、テープの使用が進んでテープロールの外径が縮小するに従い、テープ押え片をテープロールに押し付けるために要求される力が増加し、力不足の状態ではテープロールの回転を停止できないこともある。
【０００７】
本発明の目的は、カッタ付きのテープディスペンサにおいて、ロールから繰り出された粘着テープを切断する際に、ロール上の粘着テープの残量に関わらず、粘着テープを汚損することなくロールの回転を容易かつ確実に強制停止でき、使い勝手に優れたテープディスペンサを提供することにある。
【課題を解決するための手段】
【０００８】
上記目的を達成するために、請求項１に記載の発明は、粘着テープのロールを少なくとも部分的に収容するケースと、ケースに設けられ、ロールから繰り出された粘着テープを切断するカッタとを具備するテープディスペンサにおいて、ケースに設けられ、粘着テープのロールの内周面に対向する内周部と、内周部に設けられ、外力の下で変位してロールの内周面に接触することにより、ケースに対するロールの回転を抑止する当接部と、を具備することを特徴とするテープディスペンサを提供する。
【０００９】
請求項２に記載の発明は、請求項１に記載のテープディスペンサにおいて、ケースは、操作者により握持されるグリップ部を備え、当接部がグリップ部に設けられる、テープディスペンサを提供する。
【００１０】
請求項３に記載の発明は、請求項１又は２に記載のテープディスペンサにおいて、内周部の一部分がケース上で片持ち梁式に弾性変形可能に支持され、当接部がこの一部分に設けられる、テープディスペンサを提供する。
【００１１】
請求項４に記載の発明は、請求項１〜３のいずれか１項に記載のテープディスペンサにおいて、ケースは、内周部に連結され、粘着テープのロールの少なくとも周方向一部分を受容する筒状空洞を内周部と協働して画定する外周部と、外周部から外方へ突設され、末端にカッタが固定的に設けられるカッタ支持部とを備え、当接部が、カッタ支持部に隣接する外周部の一領域に対向する位置で内周部に設けられる、テープディスペンサを提供する。
【００１２】
請求項５に記載の発明は、請求項４に記載のテープディスペンサにおいて、ケースの内周部と外周部とが、粘着テープのロールの全体を受容する環状空洞を画定する、テープディスペンサを提供する。
【発明の効果】
【００１３】
本発明によれば、ロールから引き出した粘着テープをカッタで切断する際に、当接部を意図的に弾性変位させて適当な押圧力下で当接部をロールの内周面に押し付けることにより、ケースに対するロールの回転を強制停止することができる。このとき、使用者の指先等がロールに直接触れないから、粘着テープを汚損する懸念は排除される。しかも、当接部は、ケースの内周部に設けられるから、粘着テープの使用が進んでロールの外径が縮小しても、内径一定のロールの内周面に当接部を押し付けるために要求される力は、実質的に変化しない。このように、テープディスペンサは、ロールから繰り出された粘着テープを切断する際に、ロール上の粘着テープの残量に関わらず、粘着テープを汚損することなくロールの回転を容易かつ確実に強制停止して粘着テープを正確に切断可能な、使い勝手に優れたものとなる。
【００１４】
ケース上のグリップ部に当接部を設ければ、使用者がテープ切断時にテープディスペンサを持ち替えることなく、当接部を押圧することができる。
【００１５】
また、ケース上で片持ち梁式に弾性変形可能に支持される内周部の一部分に当接部を設けることで、テープディスペンサの構造を単純化することができる。
【００１６】
当接部を、カッタ支持部に隣接する外周部の一領域に対向する位置で内周部に設ければ、使用者が片手で当接部に押圧力を加えながら、カッタ支持部の末端のカッタを、被着対象面に貼り付けられた粘着テープの後続部分に対し、正確に安定して切断動作させることができる。
【００１７】
ケースの環状空洞にロールの全体を受容する構成とすれば、使用時だけでなく保管や運搬時にも粘着テープの汚損を防止できる。
【発明を実施するための最良の形態】
【００１８】
以下、添付図面を参照して、本発明の実施の形態を詳細に説明する。全図面に渡り、対応する構成要素には共通の参照符号を付す。
図面を参照すると、図１〜図３は、本発明の一実施形態によるテープディスペンサ１０を、粘着テープロールを収容していない状態で示す図、図４は、粘着テープロールを収容した状態のテープディスペンサ１０を示す図である。テープディスペンサ１０は、基材の片面に粘着剤層を有する片面粘着テープや、基材の両面に粘着剤層を有するとともに一方の粘着剤層に剥離紙を被着した両面粘着テ−プを、ロール状に巻回して構成される粘着テープロール（本願でロールと略称する）に対して使用されるものであり、後述するように、操作者が片手に担持した状態でロールから粘着テープを繰り出して所望長さに切断できる手持操作可能な構成を有する。
【００１９】
テープディスペンサ１０は、粘着テープＴのロールＲを少なくとも部分的に収容するケース１２と、ケース１２に設けられ、ロールＲから繰り出された粘着テープＴを切断するカッタ１４とを備える。テープディスペンサ１０はさらに、ケース１２に設けられ、粘着テープＴのロールＲの円筒状の内周面Ｒａに対向する内周部１６と、内周部１６に設けられ、外力の下で変位してロールＲの内周面Ｒａに接触することにより、ケース１２に対するロールＲの回転を抑止する当接部１８とを備える。
【００２０】
ケース１２は、全体として、使用対象のロールＲが有する環状の形状及び寸法に対応する環状の形状及び寸法を有して、ロールＲの全体を実質的に包囲する容器を構成する。詳述すれば、ケース１２は、所定直径を有する円環状の内周部１６と、内周部よりも大きな直径を有して内周部１６に実質的平行に離間対向する円環状の外周部２０と、内周部１６の環状の両縁と外周部２０の対応の両縁との間に延設される一対の側壁部２２とを備える。内周部１６、外周部２０及び両側壁部２２は、互いに協働して、ロールＲの全体を受容する環状空洞２４を画定する。
【００２１】
図示実施形態では、内周部１６及び外周部２０は、いずれも一定の幅を有して円環状に延設され、両側壁部２２と共に、全体に一様な略矩形断面の環状空洞２４を画定する。なお、内周部１６、外周部２０及び両側壁部２２の形状は図示形状に限定されず、例えば平面視で多角形の輪郭を有したり、内周部１６と外周部２０とが互いに平行ではない形状であったりしても良い。また、環状空洞２４の断面形状は、円、楕円、台形、多角形等でも良い（断面形状が円や楕円の場合は、明確に識別できる側壁部は存在しない）。
【００２２】
ケース１２はさらに、局所で外周部２０から外方へ突設され、末端にカッタ１４が固定的に設けられるカッタ支持部２６と、カッタ支持部２６に隣接して外周部２０の局所に形成され、ロールＲから繰り出した粘着テープＴを環状空洞２４から導出するための開口部２８とを備える。カッタ支持部２６は、ケース１２全体の環状輪郭に視覚的に馴染む曲面輪郭を有する。開口部２８は、カッタ支持部２６の末端と内周部１６の幾何学的中心点Ｐとを結ぶ線上に位置し、環状空洞２４からの粘着テープＴの円滑な導出を可能にする中心角αに渡って開口する（図３）。
【００２３】
カッタ１４は、ケース１２とは別体の部材として金属薄板から所定形状に成形され、先端に鋸刃状の刃３０が形成される。カッタ１４は、刃３０をカッタ支持部２６上に露出させた状態で、カッタ支持部２６の末端に設けた取付箇所３２（図３）に、例えば圧入により固定的に取り付けられる。なお、別部材としてのカッタ１４に代えて、カッタ支持部２６の材料の一部に鋭利な突起を形成することにより、ケース１２と一体のカッタ１４を備える構成とすることもできる。
【００２４】
当接部１８は、ケース１２の円環状の内周部１６上で、中心角βに渡り円弧状に延びる領域に設けられる（図３）。図示実施形態では、内周部１６が、その中心角βに渡る第１部分１６ａで、両側壁部２２から分断されるとともに、中心角βの一端で内周部１６の残りの第２部分１６ｂから分断され、それにより第１部分１６ａが第２部分１６ｂに片持ち梁式に弾性変形可能に支持されている。そして、内周部１６の第１部分１６ａが、当接部１８を構成している。なお、図示の構成は、円弧状に延びる内周部１６の第２部分１６ｂの周方向一端に、同様に円弧状に延びる当接部１８を片持ち梁式に一体に連結した構成と見なすこともできる。
【００２５】
当接部１８は、テープディスペンサ１０の使用者が片手でケース１２を握持して、その指で当接部１８を、環状空洞２４内に向けて比較的軽い力で容易に撓曲できるような構造を有することが望ましい。そのような前提の下で、図示の円弧状の形状に限らず、様々な形状の当接部１８を採用することができる。例えば、当接部１８の当接面（すなわちロールＲの内周面Ｒａに対向する面）１８ａを、多様な屈曲面や凹凸面として形成することもできる。また、図示の当接部１８を周方向へ延びるスリットにより複数に分断して、円弧状に延びる複数個の当接部１８を設けることもできる。或いは、内周部１６の第２部分１６ｂに片持ち支持される図示の当接部１８に代えて、内周部１６の所望部分を周方向に分断していずれか一方の側壁部２２に片持ち梁式に弾性変形可能に支持される当接部１８を形成することもできる。この場合、周方向寸法の小さい（つまり細長い）当接部１８を複数個隣接させて、例えばそれぞれの自由端が交互に逆向きに配置されるように形成できる。さらに、内周部１６に一体に形成される当接部１８に代えて、蝶番構造を介して内周部１６に連結される別体の当接部１８を採用することもできる。なお、ケース１２上で片持ち梁式に弾性変形可能に支持される内周部１６の一部分に当接部１８が設けられる構成とすることで、テープディスペンサ１０の構造を単純化することができる。
【００２６】
上記構成を有するテープディスペンサ１０の使用形態の一例を、図４及び図５を参照して説明する。
まず、任意長さの粘着テープＴを中空コアＣに巻回してなるロールＲを用意する。粘着テープＴは、基材の片面に粘着剤層を有する片面粘着テープと、基材の両面に粘着剤層を有するとともに一方の粘着剤層に剥離紙を被着した両面粘着テ−プとのいずれでも良いが、ロールＲは、非粘着面（片面粘着テープの基材表面又は両面粘着テープの剥離紙表面）Ｔａを外側に向けた状態で粘着テープＴを中空コアＣに巻回したものである。なお、ロールＲは、中空コアＣを有しないコアレスロールであっても良い。
【００２７】
ここでテープディスペンサ１０では、テープ切断時に粘着テープＴの非粘着面Ｔａがカッタ１４に対向する使用形態を、標準的な使用形態とする。例えば、粘着テープＴが剥離紙を有する両面粘着テープである場合、テープ切断時には、粘着テープＴの基材と剥離紙とがカッタ１４により略同時に切断される。このとき、粘着テープＴの粘着剤層がカッタ１４に対向するように配置すると、一般的な両面粘着テープの基材である不織布の繊維が、切断を繰り返すうちにカッタ１４の刃３０（図１）に詰まり、カッタ１４の切断機能を劣化させる傾向がある。したがって、粘着テープＴが両面粘着テープである場合には、テープ切断時に非粘着面Ｔａである剥離紙表面がカッタ１４に対向する使用形態を一般に採用する。他方、粘着テープＴが片面粘着テープである場合、テープディスペンサ１０は、上記標準使用形態に限らず、テープ切断時に粘着面をカッタ１４に対向させるようにして使用することもできる。
【００２８】
上記したロールＲを、上記標準使用形態に適合した向きに配置して、中空コアＣの内側に内周部１６が挿入されるように、ケース１２の環状空洞２４に収容する（図４）。ロールＲをケース１２の環状空洞２４に適正に収容すると、ロールＲの全体が、ケース１２の内周部１６、当接部１８、外周部２０及び両側壁部２２によって実質的に包囲される。また、ロール収容時には、テープ繰り出し時のケース１２内でのロールＲの円滑な回転を妨げないように、中空コアＣの円筒状内周面（つまりロールＲの内周面Ｒａ）と環状空洞２４側の内周部１６の円筒状表面１６ｃ（図３）とは、互いに密着しないことが望ましい。図示実施形態では、ロール内周面Ｒａと内周部表面１６ｃとの間に適当な隙間を確保するための、複数の突起３４が、内周部１６の表面１６ｃ（及び当接部１８の当接面１８ａ）に形成されている。
【００２９】
ケース１２に収容されたロールＲから繰り出された粘着テープＴは、その前縁から開口部２８を通してケース外部に引き出される。そして、所要長さの粘着テープＴを引き出した後、カッタ１４で粘着テープＴを切断する。テープ切断時には、粘着テープＴの非粘着面Ｔａがカッタ１４に対向しているから、粘着テープＴに加わる引張力により非粘着面Ｔａがカッタ１４の刃３０上で摺動して、粘着テープＴを正確に切断できない状況が生じ得る。
【００３０】
そこで、使用者は、例えば指で当接部１８を環状空洞２４内に向けて押し込んで弾性変位させ、適当な押圧力下で、当接部１８の当接面１８ａをロールＲの内周面Ｒａに押し付ける（図５）。このとき、当接部１８とは反対側で、内周部１６の第２部分１６ｂがその表面１６ｃでロールＲの内周面Ｒａに密接することにより、環状空洞２４内でのロールＲの径方向移動が実質的に阻止される。その結果、当接部１８は、圧力下でロール内周面Ｒａに安定して接触し、テープ切断時に粘着テープＴに加わる引張力に抗して、ケース１２内でのロールＲの回転を効果的に抑止する。このようにしてロールＲの回転を強制停止した状態で、カッタ１４により粘着テープＴを正確に切断することができる。
【００３１】
上記したように、テープディスペンサ１０によれば、ケース１２の内周部１６に、外力により変位してロールＲの内周面Ｒａに接触可能な当接部１８を設けたから、ロールＲから引き出した粘着テープＴをカッタ１４で切断する際に、当接部１８を意図的に弾性変位させて適当な押圧力下で当接部１８をロールＲの内周面Ｒａに押し付けることにより、ケース１２に対するロールＲの回転を強制停止することができる。このとき、使用者の指先等がロールＲに直接触れないから、粘着テープＴを汚損する懸念は排除される。しかも、当接部１８は、ケース１２の内周部１６に設けられるから、粘着テープＴの使用が進んでロールＲの外径が縮小しても、内径一定のロールＲの内周面Ｒａに当接部１８を押し付けるために要求される力は、実質的に変化しない。このように、テープディスペンサ１０は、ロールＲから繰り出された粘着テープＴを切断する際に、ロールＲ上の粘着テープＴの残量に関わらず、粘着テープＴを汚損することなくロールＲの回転を容易かつ確実に強制停止して粘着テープＴを正確に切断可能な、使い勝手に優れたものである。
【００３２】
上記構成を有するテープディスペンサ１０では、当接部１８をロールＲの内周面Ｒａに押し付けたときに、当接部１８とは反対側で内周部１６の第２部分１６ｂがロール内周面Ｒａに密接することで、ロールＲの径方向移動を実質的に阻止している。内周部１６の第２部分１６ｂは、少なくともこのようなロール移動阻止機能を発揮できるものであれば良く、したがって第２部分１６ｂを、周方向に離間配置される複数の円弧状切片から形成することもできる。
【００３３】
テープディスペンサ１０の典型的な使用形態では、使用者は、一方の手でケース１２の適当な部分を握持しながら、他方の手で開口部２８から粘着テープＴの前縁を引き出し、押圧力下で当接部１８をロール内周面Ｒａに押し付けた状態で、粘着テープＴの非粘着面Ｔａをカッタ１４の刃３０に押し当てて粘着テープＴを切断する。そこで、通常の使用状況で使用者が慣例的に握持するケース１２上の領域をグリップ部３６（図２、図５）とし、このグリップ部３６に当接部１８を設ければ、使用者がテープ切断時にテープディスペンサ１０を持ち替える必要が無くなる点で有利である。なおこの場合、グリップ部３６に、他の部分から容易に識別可能な意匠上又は構造上の工夫（凹凸表面、ゴムカバー、文字表示等）を施すことができる。
【００３４】
テープディスペンサ１０の他の典型的な使用形態では、使用者は、一方の手でケース１２の適当な部分（例えばグリップ部３６）を握持しながら、他方の手で開口部２８から引き出した粘着テープＴの前縁を図示しない被着対象面に貼り付けた後、ケース１２を握持した手でケース１２を移動させることにより、所要長さの粘着テープＴを自動的に引き出しながら被着対象面に貼り付ける。そして、ケース１２を片手で適当に操作して、当接部１８に押圧力を加えながら、カッタ１４により粘着テープＴを切断する。このような使用形態を考慮すれば、図示実施形態のように、当接部１８を、カッタ支持部２６に隣接するケース外周部２０の一領域に対向する位置で内周部１６に設けることが有利である。この構成によれば、使用者が片手で当接部１８に押圧力を加えながら、カッタ支持部２６の末端のカッタ１４を、被着対象面に貼り付けられた粘着テープＴの後続部分に対し、正確に安定して切断動作させることができる。
【００３５】
テープディスペンサ１０の上記した標準使用形態では、切断後の粘着テープＴの未使用部分は、カッタ１４の刃３０に粘着保持されることなく浮遊状態に置かれるので、意図せずケース１２内のロールＲに巻戻されることが危惧される。そこで、ケース１２の外周部２０には、開口部２８を挟んでカッタ支持部２６に対向する位置に、外方へ局所的に隆起する仮留部分３８を設けることができる（図１）。この構成により、切断後の粘着テープＴの未使用部分は、その前縁を仮留部分３８に一時的に粘着させておくことで、ケース１２内のロールＲに巻戻されないようになる。
【００３６】
テープディスペンサ１０は、環状空洞２４に対するロールＲの供給及び使用済みコアＣの除去を、容易かつ迅速に行える構成とすることが望ましい。例えば図６〜図９に示すように、ケース１２は、内周部１６、当接部１８、外周部２０の主要部分及び一方の側壁部２２を含む第１部材４０と、外周部２０の一部分及び他方の側壁部２２を含む第２部材４２との組み合わせにより構成できる。第１部材４０と第２部材４２とは、カッタ支持部２６とは反対側で外周部２０の所定位置に設けられる連結部４４を介して、相互に回転可能に連結される。連結部４４には、第１及び第２部材４０、４２の相対回転中心となる軸４６が設けられる（図３）。軸４６は例えば、第１及び第２部材４０、４２とは別部材として設けられて、第１及び第２部材４０、４２の連結部４４の受容孔４４ａに嵌入される。或いは、第１及び第２部材４０、４２のいずれか一方の連結部４４に一体に軸４６を設け、他方の連結部４４の受容孔４４ａに嵌入する構成とすることもできる。
【００３７】
ケース１２は、連結部４４を中心として第１及び第２部材４０、４２を相対回転させるだけの単純操作により、環状空洞２４をケース外部空間に対して選択的に開放及び閉鎖することができる。このとき、第１部材４０と第２部材４２とを完全に分離させること無く、環状空洞２４の全体を露出させることができるので、環状空洞２４に対するロールＲの供給及び使用済みコアＣの除去を容易かつ迅速に行えるとともに、第１部材４０と第２部材４２とを適正な組立位置に容易かつ迅速に移動させて環状空洞２４を閉鎖することができる。
【００３８】
第１部材４０の外周部２０には、当接部１８に対向する位置に、外周部２０の一部分を切除した形態の切欠部分４８が形成される。他方、第２部材４２には、切欠部分４８に対応する位置に、切欠部分４８の輪郭に合致する輪郭を有する蓋部分５０が形成される。第１部材４０と第２部材４２とが適正な組立位置にあるとき（すなわち環状空洞２４が閉鎖されているとき）に、切欠部分４８と蓋部分５０とは互いに相補的に嵌合して、ケース１２の外周部２０を構成する（図３）。切欠部分４８には、連結部４４から遠い方の縁部に沿って、環状空洞２４内に突出する肩面５２が形成される。他方、蓋部分５０には、連結部４４から遠い方の縁部に沿って、肩面５２に係合可能な爪５４が突設される。第１部材４０と第２部材４２とが適正な組立位置にあるときに、蓋部分５０に設けた爪５４は、それ自体の弾性変形の下で、切欠部分４８に設けた肩面５２にスナップ式に係合して、第１及び第２部材４０、４２を組立位置に係止保持する。環状空洞２４を開放するときには、蓋部分５０が切欠部分４８から上方へ分離される方向（図３で時計方向）に第１及び第２部材４０、４２を相対回転させて、爪５４を弾性変形させながら肩面５２から脱離する。
【００３９】
上記したテープディスペンサ１０は、前述した標準使用形態を前提として、使用者が慣例的に握持するケース１２上の領域をグリップ部３６とし、このグリップ部３６に当接部１８を設けている。これに対し、テープディスペンサ１０の使用形態を特定しない場合は、使用者がケース１２の任意の領域を握持した状態で当接部１８を押圧操作できるようにすることが有利である。その観点で、当接部１８（すなわち内周部１６の第１部分１６ａ）の周方向寸法を可及的に増加させ（すなわち第２部分１６ｂの周方向寸法を可及的に減少させ）たり、或いは図１０に変形例として示すように、ケース１２の内周部１６の複数個所に当接部１８を設けたりすることができる。
【００４０】
上記したテープディスペンサ１０は、ケース１２の環状空洞２４にロールＲの全体を受容する構成を有するから、使用時だけでなく保管や運搬時にも粘着テープＴの汚損を防止できるものである。これに対し、使用時（或いはテープ切断時）のテープ汚損防止機能のみを有すれば良い場合には、ケース１２がロールＲの全体を受容する構成とする必要は無い。その観点で、図１１に他の変形例として示すように、ケース１２は、ロールＲの少なくとも周方向一部分を受容する筒状空洞５６を有する構成とすることができる。
【００４１】
上記したテープディスペンサ１０は、使用時にケース１２が、当接部１８以外の部分では使用者の力によって容易には変形しない程度の剛性を有することが望ましい。この観点で、ケース１２は、ポリスチレン（ＰＳ）、ＡＢＳ樹脂、ＡＥＳ樹脂、ポリプロピレン（ＰＰ）、ポリエチレン（ＰＥ）、ポリ塩化ビニル（ＰＶＣ）、ポリメチルメタクリレート（ＰＭＭＡ）、ポリアセタール（ＰＯＭ）等のプラスチック材料や、ある程度のばね性を有する金属材料から作製できる。或いはケース１２を、厚紙や木材等から形成することもできる。またケース１２は、環状空洞２４及び筒状空洞５６のいずれを有する場合にも、全体に中実の素材から形成したり、網状、格子状等の空隙を有する素材から形成したりすることもできる。
【図面の簡単な説明】
【００４２】
【図１】本発明の一実施形態によるテープディスペンサを、ロールを収容していない状態で示す斜視図である。
【図２】図１のテープディスペンサの平面図である。
【図３】図１のテープディスペンサの断面図である。
【図４】図１のテープディスペンサを、ロールを収容している状態で示す斜視図である。
【図５】図１のテープディスペンサの使用形態を概略で示す斜視図である。
【図６】図１のテープディスペンサの一構成部品の平面図で、（ａ）外面を示す図、及び（ｂ）内面を示す図である。
【図７】図６の構成部品の、（ａ）矢印ＶＩＩから見た正面図、及び（ｂ）線ＶＩＩ−ＶＩＩに沿った断面図である。
【図８】図１のテープディスペンサの他の構成部品の平面図で、（ａ）外面を示す図、及び（ｂ）内面を示す図である。
【図９】図８の構成部品の、（ａ）矢印ＩＸから見た正面図、及び（ｂ）線ＩＸ−ＩＸに沿った断面図である。
【図１０】変形例によるテープディスペンサの斜視図である。
【図１１】他の変形例によるテープディスペンサの斜視図である。
【符号の説明】
【００４３】
１０    テープディスペンサ
１２    ケース
１４    カッタ
１６    内周部
１８    当接部
２０    外周部
２４    環状空洞
２６    カッタ支持部
２８    開口部
３０    刃
３６    グリップ部
４０    第１部材
４２    第２部材
４４    連結部
４６    軸
５６    筒状空洞
【図１】
2009155079.tif 000003
【図２】
2009155079.tif 000004
【図３】
2009155079.tif 000005
【図４】
2009155079.tif 000006
【図５】
2009155079.tif 000007
【図６】
2009155079.tif 000008
【図７】
2009155079.tif 000009
【図８】
2009155079.tif 000010
【図９】
2009155079.tif 000011
【図１０】
2009155079.tif 000012
【図１１】
2009155079.tif 000013